(57)【要約】【課題】本発明は、シールが貼り付けられた包装体に吸収性物品を入れる場合に、シールが剥れることを抑制する技術を提供することを目的とする。【解決手段】本発明は、幅方向をｘ軸方向、厚み方向をｙ軸方向、奥行き方向をｚ軸方向とする包装体の中へ着用者の股下に装着される吸収性物品を入れて包装する吸収性物品の包装方法であって、略直方体でｚ軸方向に一面が開口した包装体の開口と通じる内部の収容空間を広げ、ｚ軸方向に対して垂直な断面の大きさが、広げられた収容空間のｚ軸方向に対して垂直な断面の大きさ以下となるようにｘ軸方向及びｙ軸方向のうち少なくとも何れかに圧縮された吸収性物品を、開口からｚ軸方向に広げられた収容空間へ押し込む押し込み工程を含み、開口と対向する収容空間を形成する内面の部分にシールが貼り付けられる、吸収性物品の包装方法である。【選択図】図１
2020196540.tif 000002
【特許請求の範囲】
【請求項１】
幅方向をｘ軸方向、厚み方向をｙ軸方向、奥行き方向をｚ軸方向とする包装体の中へ着用者の股下に装着される吸収性物品を入れて包装する吸収性物品の包装方法であって、
略直方体でｚ軸方向に一面が開口した前記包装体の前記開口と通じる内部の収容空間を広げ、ｚ軸方向に対して垂直な断面の大きさが、前記広げられた収容空間のｚ軸方向に対して垂直な断面の大きさ以下となるようにｘ軸方向及びｙ軸方向のうち少なくとも何れかに圧縮された吸収性物品を、前記開口からｚ軸方向に前記広げられた収容空間へ押し込む押し込み工程を含み、
前記開口と対向する前記収容空間を形成する内面の部分にシールが貼り付けられる、
吸収性物品の包装方法。
【請求項２】
前記開口と対向し、前記シールが貼り付けられる内面に前記包装体を開封するためのミシン目を加工する加工工程を更に含み、
前記シールは、前記ミシン目によって開口する部分の隣接領域に貼り付けられる、
請求項１に記載の吸収性物品の包装方法。
【請求項３】
前記加工工程において、前記ミシン目は所定の部分を囲むように設けられ、
前記シールは、前記所定の部分に貼り付けられる、
請求項２に記載の吸収性物品の包装方法。
【請求項４】
前記押し込み工程において、前記吸収性物品は前記ｘ軸方向、又は前記ｙ軸方向へ重ねられて全体が圧縮され、前記圧縮された吸収性物品全体の前記ｚ軸方向に対して垂直な断面の大きさと、前記広げられた収容空間の前記ｚ軸方向に対して垂直な断面の大きさとは略同一である、
請求項１から３のうち何れか一項に記載の吸収性物品の包装方法。
【請求項５】
前記シールは、角が丸く形成されている、
請求項１から４のうち何れか一項に記載の吸収性物品の包装方法。
【請求項６】
前記押し込み工程に送られる前記吸収性物品を、前記広げられた収容空間のｚ軸方向に対して垂直な断面の大きさ以下となるようにｘ軸方向及びｙ軸方向のうち少なくとも何れかに圧縮する圧縮工程を更に含む、
請求項１から５のうち何れか一項に記載の吸収性物品の包装方法。
【請求項７】
前記包装体は、外面のうち前記シールに対応する部位に、前記シールの貼着位置を示す表示部を有する、
請求項１から６のうち何れか一項に記載の吸収性物品の包装方法。
【請求項８】
幅方向をｘ軸方向、厚み方向をｙ軸方向、奥行き方向をｚ軸方向とし、着用者の股下に装着される吸収性物品を包装する吸収性物品の包装体であって、
ｚ軸方向に一面が開口する開口部と、
前記開口部と通じ、前記吸収性物品を収容する収容空間と、
前記収容空間を形成する内面の部分に貼り付けられるシールと、を備え、
前記収容空間は広げられ、ｚ軸方向に対して垂直な断面の大きさが、前記広げられた収容空間のｚ軸方向に対して垂直な断面の大きさ以下となるようにｘ軸方向及びｙ軸方向のうち少なくとも何れかに圧縮された吸収性物品が、前記開口部から前記広げられた収容空間へ押し込まれ、
前記シールは、前記開口部と対向し、前記包装体を形成する部分同士が熱溶着により封止される部分の隣接領域に貼り付けられ、
前記シールが貼りつけられた部分は、前記包装体を形成する他の部分と熱溶着せず、
略直方体である、
吸収性物品の包装体。
【請求項９】
前記開口と対向し、前記シールが貼り付けられる内面に前記包装体を開封するためのミシン目を更に備え、
前記シールは、前記ミシン目によって開口する部分の隣接領域に貼り付けられている、
請求項８に記載の吸収性物品の包装体。
【請求項１０】
前記ミシン目は、所定の部分を囲むように設けられており、
前記シールは、前記所定の部分に貼り付けられている、
請求項９に記載の吸収性物品の包装体。
【請求項１１】
前記シールは、角が丸く形成されている、
請求項８から１０のうち何れか一項に記載の吸収性物品の包装体。
【請求項１２】
前記包装体の外面のうち前記シールに対応する部位に、前記シールの貼着位置を示す表示部を更に備える、
請求項８から１１のうち何れか一項に記載の吸収性物品の包装体。
【発明の詳細な説明】
【技術分野】
【０００１】
本発明は、吸収性物品の包装方法及び吸収性物品の包装体に関する。
【背景技術】
【０００２】
包装体へ被包装物を封入する方法が開示されている（例えば特許文献１−３）。
【先行技術文献】
【特許文献】
【０００３】
【特許文献１】特許第５３８３０９３号公報
【特許文献２】特許第５２３８２９１号公報
【特許文献３】特許第６１４９０９８号公報
【発明の概要】
【発明が解決しようとする課題】
【０００４】
包装体に例えば吸収性物品のキャンペーンに関する情報が印されたシールが貼られる場合が考えられる。しかしながら、シールが包装体の内側面に貼られている場合に、吸収性物品が包装体の内側面と互いに押し付け合いながら包装体の内部へ押し込まれると、シールが剥がれる虞がある。
【０００５】
そこで、本発明は、シールが貼り付けられた包装体に吸収性物品を入れる場合に、シールが剥れることを抑制する技術を提供することを目的とする。
【課題を解決するための手段】
【０００６】
上記課題を解決するため、本発明は、シールは開口部を有する包装体の当該開口部と対向する部分に貼られ、吸収性物品は、包装体の収容空間へ開口部から押し込む包装方法とした。
【０００７】
詳細には、本発明は、幅方向をｘ軸方向、厚み方向をｙ軸方向、奥行き方向をｚ軸方向とする包装体の中へ着用者の股下に装着される吸収性物品を入れて包装する吸収性物品の包装方法であって、略直方体でｚ軸方向に一面が開口した包装体の開口と通じる内部の収容空間を広げ、ｚ軸方向に対して垂直な断面の大きさが、広げられた収容空間のｚ軸方向に対して垂直な断面の大きさ以下となるようにｘ軸方向及びｙ軸方向のうち少なくとも何れかに圧縮された吸収性物品を、開口からｚ軸方向に広げられた収容空間へ押し込む押し込み工程を含み、開口と対向する収容空間を形成する内面の部分にシールが貼り付けられる、吸収性物品の包装方法である。
【０００８】
また、開口と対向し、シールが貼り付けられる内面に包装体を開封するためのミシン目を加工する加工工程を更に含み、シールは、ミシン目によって開口する部分の隣接領域に貼り付けられてもよい。
【０００９】
また、加工工程において、ミシン目は所定の部分を囲むように設けられ、シールは、所定の部分に貼り付けられてもよい。
【００１０】
なお、押し込み工程において、吸収性物品はｘ軸方向、又はｙ軸方向へ重ねられて全体が圧縮され、圧縮された吸収性物品全体のｚ軸方向に対して垂直な断面の大きさと、広げられた収容空間のｚ軸方向に対して垂直な断面の大きさとは略同一であってもよい。
【００１１】
また、シールは、角が丸く形成されていてもよい。
【００１２】
また、上記の吸収性物品の包装方法は、押し込み工程に送られる吸収性物品を、広げられた収容空間のｚ軸方向に対して垂直な断面の大きさ以下となるようにｘ軸方向及びｙ軸方向のうち少なくとも何れかに圧縮する圧縮工程を更に含むものであってもよい。
【００１３】
また、包装体は、外面のうちシールに対応する部位に、シールの貼着位置を示す表示部を有するものであってもよい。
【００１４】
また、幅方向をｘ軸方向、厚み方向をｙ軸方向、奥行き方向をｚ軸方向とし、着用者の股下に装着される吸収性物品を包装する吸収性物品の包装体であって、ｚ軸方向に一面が開口する開口部と、開口部と通じ、吸収性物品を収容する収容空間と、収容空間を形成する内面の部分に貼り付けられるシールと、を備え、収容空間は広げられ、ｚ軸方向に対して垂直な断面の大きさが、広げられた収容空間のｚ軸方向に対して垂直な断面の大きさ以下となるようにｘ軸方向及びｙ軸方向のうち少なくとも何れかに圧縮された吸収性物品が、開口部から広げられた収容空間へ押し込まれ、シールは、開口部と対向し、包装体を形成する部分同士が熱溶着により封止される部分の隣接領域に貼り付けられ、シールが貼りつけられた部分は、包装体を形成する他の部分と熱溶着せず、略直方体である、吸収性物品の包装体であってもよい。
【００１５】
また、上記の吸収性物品の包装体は、開口と対向し、シールが貼り付けられる内面に包装体を開封するためのミシン目を更に備え、シールは、ミシン目によって開口する部分の隣接領域に貼り付けられていてもよい。
【００１６】
また、ミシン目は、所定の部分を囲むように設けられており、シールは、所定の部分に貼り付けられていてもよい。
【００１７】
また、シールは、角が丸く形成されていてもよい。
【００１８】
また、上記の吸収性物品の包装体は、包装体の外面のうち前記シールに対応する部位に、シールの貼着位置を示す表示部を更に備えていてもよい。
【発明の効果】
【００１９】
上記の吸収性物品の包装方法及び吸収性物品の包装体であれば、シールが貼り付けられた包装体に吸収性物品を入れる場合に、シールが剥れることを抑制する技術を提供することができる。
【図面の簡単な説明】
【００２０】
【図１】図１は、実施形態に係る袋体の概要の一例を示している。
【図２】図２は、おむつが袋体の内部へ入れられて包装される包装手順を示すフローチャートの一例を模式的に例示する。
【図３】図３は、折り畳んだ状態で重ねられたおむつを収容した袋体の開口部が溶着された状態の一例を模式的に例示する。
【図４】図４は、従来の袋体の概要の一例を示している。
【図５】図５は、シールの貼着位置を示す表示部の一例を示した図である。
【図６】図６は、おむつを袋体へ挿入する方法の一例を示した図である。
【発明を実施するための形態】
【００２１】
以下に、図面を参照して本発明の実施形態に係る吸収性物品について説明する。なお、以下の実施形態の構成は例示であり、本発明はこれらの実施の形態の構成に限定されるも
のではない。
【００２２】
＜実施形態＞
図１は、本実施形態に係る袋体１の概要の一例を示している。袋体１は、半透明なフィルムから形成される。袋体１は、開口部２と、開口部２と通じ、内部にテープ型の使い捨ておむつ３を収容する収容空間４を有する。本実施形態では、おむつ３が開口部２から収容空間４へ入れられる方向をｚ軸方向とする。そして、開口部２の幅方向をｘ軸方向、開口部２の厚み方向をｙ軸方向とする。
【００２３】
収容空間４に入れられるおむつ３の個数は、１つだけではなく、ｘ軸方向へ折り畳んだ状態で重ねられた複数個である。ここで、袋体１は、本発明の「包装体」の一部である。また、おむつ３は、本発明の「着用者の股下に装着される吸収性物品」の一例である。そして、重ねられたおむつ３のｘ軸方向の長さは、収容空間４のｘ軸方向の長さよりもやや長い。
【００２４】
また、袋体１は、開口部２と対向する内面６のｚ軸方向の端部９が、同じく開口部２と対向する内面１０のｚ軸方向の端部１１と熱溶着されることにより封止されている。また、袋体１の開口部２と対向する内面６であって、端部９と隣接する部分には、ミシン目８がｚ軸方向に延びるようにＵ字状に設けられている。ミシン目８は、封止状態の袋体１を開封するために内面６に加工される。また、袋体１は、シール５を備え、シール５は、端部９と隣接する領域であって、ミシン目８によって囲まれ、ｚ軸方向の先端に位置する内面６の部分に貼り付けられる。シール５の形状は、扇形であり、その表面には、おむつ３のキャンペーン情報が印されている。キャンペーン情報とは、例えばおむつ３のキャンペーン情報が記載されるウェブサイトのＵＲＬ（Ｕｎｉｆｏｒｍ  Ｒｅｓｏｕｒｃｅ  Ｌｏｃａｔｏｒ）を記録したＱＲコード（登録商標）である。また、内面６及び内面１０は、本発明の「開口と対向する前記収容空間を形成する内面」の一例である。
【００２５】
ここで、シール５を形成する素材は、端部９と端部１１とが熱溶着される温度では溶解しない材料である。つまり、内面６のシール５が貼られた部分と内面１０とを誤って熱溶着させようとする場合、シール５が溶けないために内面６と内面１０とは溶着不良となる。
【００２６】
次に、おむつ３が袋体１の内部へ入れられて包装される包装方法の手順を説明する。図２は、おむつ３が袋体１の内部へ入れられて包装される包装手順を示すフローチャートの一例を模式的に例示する。また、以下で説明する包装手順について、実施の形態に応じて、適宜、ステップの省略、置換、及び追加が可能である。
【００２７】
（ステップＳ１０１）
ステップＳ１０１においては、まず袋体１へ収容空間４を広げる部材が入れられる。そして、広げられた収容空間４に対して、折り畳んだ状態でｘ軸方向に重ねられたおむつ３が開口部２から袋体１の内部へ入れられる。ここで、重ねられたおむつ３のｘ軸方向の長さは、開口部２のｘ軸方向の長さよりもやや長い。よって、折り畳んだ状態で重ねられたおむつ３は、ｘ軸方向に圧縮されて開口部２から収容空間４へ押し込まれる。つまり、押し込まれる際におむつ３の外面と収容空間４を形成する袋体１を形成する面とは互いに押し付ける方向に力が作用する。また、圧縮されたおむつ３のｚ軸方向に対して垂直な断面は、広げられた収容空間４のｚ軸方向に対して垂直な断面と略同一である。ここで、ステップＳ１０１は、本発明の「押し込み工程」の一例である。
【００２８】
（ステップＳ１０２）
ステップＳ１０２においては、おむつ３が袋体１の内部へ押し込まれた後、開口部２の
外周を形成するフィルム同士が熱によって溶着される。図３は、折り畳んだ状態で重ねられたおむつ３を収容した袋体１の開口部２が溶着された状態の一例を模式的に例示する。このようにして、開口部２は塞がれ、おむつ３は袋体１によって包装された状態となる。
【００２９】
また、開口部２が塞がれた後に、収容空間４へ収容されたおむつ３を外部へ取り出す場合には、シール５が貼られた部分を袋体１の外部からつまむ。このようにすることで、ミシン目８が加工された部分が破断する。そして、破断されて開口した部分からおむつ３を１つずつ取り出すことができる。ここで、ミシン目８は細長くＵ字状に設けられているため、一度に多くのおむつ３が外部へこぼれ出ることは抑制される。また、シール５は、ミシン目８が破断することにより生成される開口の隣接領域に貼られている。よって、ユーザが当該開口からおむつ３を取り出す場合にシール５も外部へ露出することになる。よって、ユーザがシール５を容易に発見でき、シール５を容易に剥がすこともできる。
【００３０】
図４は、従来の袋体２１の概要の一例を示している。袋体２１は、袋体１と同様に開口部２２を有する。また、重ねられたおむつ３の大きさは、ｘ軸方向において収容空間２４よりもやや長い。よって、折り畳んだ状態で重ねられたおむつ３がｘ軸方向へ圧縮され、開口部２２から袋体２１の内部の収容空間２４へ押し込まれる。
【００３１】
また、袋体２１は、シール２５を備える。ただし、シール２５は、袋体２１の内側面２７に接着されている。このような袋体２１の場合、押し込められたおむつ３とシール２５とが接触して擦れることになるため、例えば搬送時においてシール２５が内側面２７から剥がれてしまう可能性がある。
【００３２】
＜作用効果＞
本実施形態に係るおむつ３の包装方法によれば、シール５は、収容時におむつ３と接触する内側面７ではなく、開口部２と対向する内面６の部分に位置し、さらにおむつ３と接触しない部分に貼られている。よって、例えば工場から家庭へ搬送される時に、おむつ３に外力が作用した場合であっても、シール５が剥がれることは抑制される。また、シール５がおむつ３と接触して擦れることにより内面６から剥がれる可能性も抑制される。また、仮に搬送時にシール５が剥がれてしまった場合であっても、おむつ３と接触しない位置にシール５が貼られているため、シール５がおむつ３に付着することは抑制される。また、本実施形態に係るおむつ３の包装方法によれば、ミシン目８が加工された部分が破断されることにより生成される開口からおむつ３を１つずつ取り出している。よって、おむつ３を取り出す際におむつ３が収容空間４を形成する内面と擦れる度合いは低減される。つまり、おむつ３を取り出す際におむつ３とシール５とが擦れることにより、シール５が内面６から剥がれることは抑制される。
【００３３】
また、本実施形態に係るおむつ３の包装方法によれば、封止された袋体１からおむつ３を取り出す場合に、シール５が貼られた部分を袋体１の外部からつまむことになる。ここで、つままれる部分は、シール５が貼られているため、固さ及び厚みが増している。よって、ミシン目８が加工された部分が破断する前につままれる部分（ミシン目８によって囲まれる袋体１のフィルム）が破断することは抑制される。また、シール５は、ミシン目８によって囲まれる部分の、ｚ軸方向の先端に位置する部分に貼られている。よって、ミシン目８が加工される部分においてｚ軸方向の先端部分が最初に破断することになる。そして、破断された部分から−ｚ軸方向にミシン目８が加工される部分を破断させることになる。つまり、ミシン目８が加工される部分の破断は確実に行うことができ、所望の通りおむつ３を取り出すための開口を作ることができる。
【００３４】
また、内面６と内面１０とが熱溶着されることにより封止される場合に、端部９と端部１１とが熱溶着されるのではなく、誤って端部９の隣接領域であって内面６のシール５が
貼られた部分と内面１０の部分とにおいて熱溶着される場合が考えられる。さらに、内面６と内面１０との間におむつ３を噛み込んだ状態で熱溶着される場合も考えられる。しかしながら、本実施形態に係るおむつ３の包装方法によれば、シール５が溶着温度において溶けない素材であるために、上記のような場合において、内面６と内面１０とは溶着不良となる。よって、袋体１は封止されずに開口することになる。つまり、封止不良を発見しやすくなる。また、おむつ３を噛み込んだ状態で袋体１が封止されることも抑制される。よって、外部からおむつ３が噛み込んだ状態の不良品を見つける場合よりも、不良品の発見が容易となる。よって、不良品が出荷されることは抑制される。
【００３５】
＜その他変形例＞
上記の実施形態では、シール５は内面６のミシン目８で囲まれた部分に貼られているが、内面６のその他の場所や内面１０に貼られていてもよい。ただし、シール５が貼られる部分は、おむつ３が収容された袋体１が例えば段ボールなどに詰め込まれたような状態において、おむつ３とは接しない位置であることが好ましい。このような場所にシール５を貼り付けることにより、おむつ３を取り出す場合にシール５とおむつ３とが擦れることによりシール５が剥がれることは抑制される。また、シール５と、他の内面とが摺動してシール５が剥がれてしまった場合であっても、剥がれたシール５がおむつ３に付着することを抑制することができる。
【００３６】
また、シール５が貼られる場所は、例えばｚ軸方向に対して内面６の側面の部分であってもよい。ただし、このようにシール５が貼られる場合も、おむつ３が収容された袋体１が例えば段ボールなどに詰め込まれたような状態において、おむつ３とは接しない位置にシール５が貼り付けられることが好ましい。このような場所にシール５が貼り付けられることにより、おむつ３を取り出す場合にシール５とおむつ３とが擦れることによりシール５が剥がれることは抑制される。また、シール５が貼り付けられる部分が折り畳まれてシール５が剥がれてしまった場合であっても、剥がれたシール５がおむつ３に付着することを抑制することができる。また、シール５が貼り付けられる位置は、これらの位置に限定されず、開口部２と対向している内面の、収容空間４に収容されたおむつ３と接触しない位置であってもよい。
【００３７】
また、上記の実施形態では、ミシン目８はＵ字状に設けられているが、周状につながって設けられてもよい。また、シール５は、ミシン目８によって囲まれる部分に設けられなくともよく、ミシン目８が加工される部分が破断することによって生成される開口の隣接領域に設けられてもよい。また、ミシン目８は設けられてなくともよい。
【００３８】
また、上記の実施形態では、シール５が端部９と端部１１とが熱溶着される温度において溶けない素材から形成される例を示したが、シール５の厚み自体が熱溶着する機器を使用することのできない厚みであってもよい。つまり、このようなシール５であっても、誤って内面６のシール５が貼られた部分と内面１０の部分とが熱溶着されそうになる場合に、内面６と内面１０とは溶着不良となる。よって、袋体１は封止されずに開口することになる。つまり、封止不良を発見しやすくなる。
【００３９】
また、上記の実施形態では、シール５の表面にキャンペーン情報が記載されるウェブサイトのＵＲＬのＱＲコードが印されている例を示したが、シール５の表面にはＱＲコードに限定されず、キャンペーン情報の文字が印字されていてもよい。また、シール５の表面にはＱＲコード及びキャンペーン情報の文字が印されていてもよい。また、シール５の表面にはキャンペーン情報以外の情報が記載されていてもよい。
【００４０】
また、上記のようなおむつ３のシール５の外形は扇形であったが、シール５の外形は扇形に限定されず、情報が表示される形状であればよい。
【００４１】
また、上記の実施形態では、包装体の一例として半透明なフィルムから形成される袋体を例示したが、包装体の形態は上記の実施形態の例に限定されず、おむつ３を包装できるものであればよい。
【００４２】
また、上記の実施形態では、重ねられたおむつ３がｘ軸方向に圧縮されて押し込められている例を示したが、重ねられたおむつ３がｙ軸方向に圧縮されて押し込められてもよい。
【００４３】
また、上記の実施形態では、折り畳んだ状態で重ねられたおむつ３を袋体１へ入れる例を示したが、おむつ３は重ねられていない状態で所定の包装体へ入れられてもよく、また折り畳んでいない状態で所定の包装体へ入れられてもよい。
【００４４】
また、上記実施形態では、おむつ３としてテープ型の使い捨ておむつが例示されていたが、その他の形態の吸収性物品においても適用可能である。このような吸収性物品としては、例えば、パンツ型の使い捨ておむつ、尿パッド、軽失禁パッドといったギャザー付きの各種形態の吸収性物品や、ギャザーの無いフラットな吸収性物品を挙げることができる。
【００４５】
また、上記実施形態では、例えば、図１や図３に図示したように、四隅にある角が尖ったシール５が例示されていたが、シール５は、角が丸く形成されていてもよい。シール５の角が丸く形成されている場合、シール５の角が袋体１を突き破る可能性を可及的に抑制することができる。すなわち、シール５の角が丸く形成されていれば、例えば、おむつ３を購入した消費者がおむつ３を袋体１から複数個取り出すことにより、袋体１を構成する薄いフィルムがシール５の周囲で折れたり曲がったりして、シール５の角がフィルムに触れても、シール５の角がフィルムを傷つけない。
【００４６】
また、上記実施形態では、袋体１の外面のデザイン等については触れていなかったが、袋体１は、例えば、外面のうちシール５に対応する部位に、シール５の貼着位置を示す表示部を有していてもよい。表示部とは、シール５の貼着位置を示すものであれば如何なるものであってもよい。シール５の貼着位置を示すものとしては、例えば、袋体１の表面に施された印刷表示、袋体１を構成するフィルムが透明であることを利用した覗き窓、袋体１を構成するフィルムにエンボス加工を施すことにより形成された凹凸、その他各種のものが挙げられる。
【００４７】
図５は、シール５の貼着位置を示す表示部の一例を示した図である。例えば、図５に示されるように、袋体１の表面に貼着位置表示２８が設けられていれば、おむつ３を購入した消費者は、キャンペーン情報等を示したシール５の貼着位置を袋体１の外面から把握することができる。よって、貼着位置表示２８が設けられた袋体１であれば、おむつ３を購入した消費者が、例えば、袋体１を開封する際にシール５を誤って破損する可能性を抑制することができる。
【００４８】
また、上記実施形態では、おむつ３を袋体１へ入れる際のおむつ３の圧縮方法について詳しく触れていなかったが、おむつ３は、例えば、以下のような方法で圧縮しながら袋体１へ押し込み可能である。
【００４９】
図６は、おむつ３を袋体１へ挿入する方法の一例を示した図である。おむつ３を袋体１へ入れる際は、例えば、袋体１の開口部２の手前で圧縮プッシャー２９によりおむつ３の束を圧縮した状態にしておき、押し込みプッシャー３０でおむつ３を袋体１の中に押し込む。おむつ３は、圧縮プッシャー２９に圧縮された状態で押し込みプッシャー３０により
開口部２から袋体１内へ押し込まれると、圧縮プッシャー２９による圧縮から開放されて膨らむ。しかし、おむつ１は既に袋体１内に進入しているため、圧縮プッシャー２９による圧縮から開放されたおむつ３は、袋体１の内面に密着し、袋体１に拘束された状態で袋体１内に保持される。おむつ３が圧縮プッシャー２９に押されて圧縮される工程は、本願でいう「圧縮工程」の一例に相当する。
【００５０】
本実施形態では、上述したように、シール５が袋体１の内部のうち開口部２と対向する内面６の部分に位置しているため、このようなプッシャーを使っておむつ３が袋体１内へ押し込まれる際、おむつ３がシール５に接触しても、シール５を内面６から剥がす方向の力がシール５に作用しない。よって、本実施形態であれば、このようなプッシャーを使っておむつ３を袋体１内へ押し込んでも、シール５を所定の貼着位置に貼着させた状態を保つことができる。
【符号の説明】
【００５１】
１・・袋体：２・・開口部：４・・収容空間：５・・シール：６・・内面：７・・内側面：８・・ミシン目：９・・端部：１０・・内面：１１・・端部：２１・・袋体：２２・・開口部：２４・・収容空間：２５・・シール：２７・・内側面：２８・・貼着位置表示：２９・・圧縮プッシャー：３０・・押し込みプッシャー
【図１】
2020196540.tif 000003
【図２】
2020196540.tif 000004
【図３】
2020196540.tif 000005
【図４】
2020196540.tif 000006
【図５】
2020196540.tif 000007
【図６】
2020196540.tif 000008